(57)【要約】【課題】  ネットワークに接続されたノードの情報のみを使用して、ネットワークトポロジ情報を生成できるようにすること。【解決手段】  複数のノードＬ２ＳＷ−１〜Ｌ２ＳＷ−７をイーサネットによって接続して成るネットワークのトポロジを生成する場合、ＮＳＭ１０１は、前記各ノードＬ２ＳＷ−１〜Ｌ２ＳＷ−７から前記各ノードＬ２ＳＷ−１〜Ｌ２ＳＷ−７が行ったＣｏｎｔｉｎｕｉｔｙ  Ｃｈｅｃｋによる受信結果情報、ＶＬＡＮ設定情報及びポートのＭＡＣ情報を収集し、ＶＬＡＮ  Ａ、ＶＬＡＮ  Ｂ単位で、前記ネットワークのトポロジを生成する。【選択図】  図１
2008244689.tif 000002
【特許請求の範囲】
【請求項１】
複数のノードをイーサネットによって接続して成るネットワークのトポロジを生成するネットワークトポロジ生成方法において、ネットワーク管理システムは、前記各ノードから、前記各ノードが行ったＣｏｎｔｉｎｕｉｔｙ  Ｃｈｅｃｋによる受信結果情報、ＶＬＡＮ設定情報及びポートのＭＡＣ情報を収集し、前記ネットワークのトポロジを生成することを特徴とするネットワークトポロジ生成方法。
【請求項２】
前記ネットワーク管理システムは、前記Ｃｏｎｔｉｎｕｉｔｙ  Ｃｈｅｃｋによる受信結果情報及びポートのＭＡＣ情報を用いて前記各ノード間の接続情報を生成し、前記ＶＬＡＮ設定情報に基づいて前記各ノード内のポート接続状態を判別し、前記ノード間接続情報及びノード内接続情報に基づいて、前記ネットワークのトポロジを生成することを特徴とする請求項１記載のネットワークトポロジ生成方法。
【請求項３】
前記ネットワークは、イーサネットＯＡＭ機能を用いたレイヤ２のイーサネットネットワークであることを特徴とする請求項１又は２記載のネットワークトポロジ生成方法。
【請求項４】
前記ネットワークは複数のＶＬＡＮを含んで成り、前記管理システムは、前記ＶＬＡＮ単位でネットワークトポロジを生成することを特徴とする請求項１乃至３のいずれか一に記載のネットワークトポロジ生成方法。
【請求項５】
複数のノードをイーサネットによって接続して成るネットワークのトポロジを生成する場合、前記各ノードからＣｏｎｔｉｎｕｉｔｙ  Ｃｈｅｃｋによる受信結果情報、ＶＬＡＮ設定情報及びポートのＭＡＣ情報を受信する情報受信手段と、前記情報受信手段によって受信した受信結果情報、ＶＬＡＮ設定情報及びポートのＭＡＣ情報を記憶する記憶手段と、前記記憶手段に記憶した受信結果情報、ＶＬＡＮ設定情報及びポートのＭＡＣ情報に基づいて前記ネットワークのトポロジを生成するトポロジ生成手段とを備えて成ることを特徴とするネットワーク管理システム。
【請求項６】
前記トポロジ生成手段は、前記受信結果情報及びポートのＭＡＣ情報を用いて前記各ノード間の接続情報を生成し、前記ＶＬＡＮ設定情報に基づいて前記各ノード内のポート接続状態を判別し、前記ノード間接続情報及びノード内接続情報に基づいて、前記ネットワークのトポロジを生成することを特徴とする請求項５記載のネットワーク管理システム。
【請求項７】
前記ネットワークは、イーサネットＯＡＭ機能を用いたレイヤ２のイーサネットネットワークであることを特徴とする請求項５又は６記載のネットワーク管理システム。
【請求項８】
前記ネットワークは複数のＶＬＡＮを含んで成り、前記トポロジ生成手段は、前記ＶＬＡＮ単位でネットワークトポロジを生成することを特徴とする請求項５乃至７のいずれか一に記載のネットワーク管理システム。
【請求項９】
コンピュータに、
複数のノードをイーサネットによって接続して成るネットワークのトポロジを生成する場合、前記各ノードからＣｏｎｔｉｎｕｉｔｙ  Ｃｈｅｃｋによる受信結果情報、ＶＬＡＮ設定情報及びポートのＭＡＣ情報を受信するステップと、前記受信した受信結果情報、ＶＬＡＮ設定情報及びポートのＭＡＣ情報を記憶手段に記憶するステップと、前記記憶手段に記憶した受信結果情報、ＶＬＡＮ設定情報及びポートのＭＡＣ情報に基づいて前記ネットワークのトポロジを生成するステップとを実行させることを特徴とするプログラム。
【請求項１０】
コンピュータに、
前記受信結果情報及びポートのＭＡＣ情報を用いて前記各ノード間の接続情報を生成するステップと、前記ＶＬＡＮ設定情報に基づいて前記各ノード内のポート接続状態を判別するステップと、前記ノード間接続情報及びノード内接続情報に基づいて、前記ネットワークのトポロジを生成するステップを実行させることを特徴とする請求項９記載のプログラム。
【請求項１１】
前記ネットワークは、イーサネットＯＡＭ機能を用いたレイヤ２のイーサネットネットワークであることを特徴とする請求項９又は１０記載のプログラム。
【請求項１２】
前記ネットワークは複数のＶＬＡＮを含んで成り、
コンピュータに、
前記ＶＬＡＮ単位でネットワークトポロジを生成するステップを実行させることを特徴とする請求項９乃至１１のいずれか一に記載のプログラム。
【発明の詳細な説明】
【技術分野】
【０００１】
本発明は、ネットワークのトポロジを生成するためのネットワークトポロジ生成方法、ネットワークトポロジを生成するネットワーク管理システム及び前記ネットワーク管理システムをコンピュータによって構築するためのプログラムに関する。
【背景技術】
【０００２】
従来から、ネットワークのトポロジを生成するためのネットワークトポロジ生成方法が開発されている（例えば、特許文献１〜５参照）。
例えば、イーサネット（登録商標）のみで構成されたレイヤ２（Ｌ２）ネットワークでは、ノードの持つ情報のみではネットワークトポロジを生成することができず、設置工事時の接続情報、レイヤ３（Ｌ３）機能であるＩＰ（Internet Protocol）Ｐｉｎｇ機能を使用しながら総合的に考えてネットワークトポロジを作成する必要がある。
【０００３】
しかしながら、前記方法においては、設置工事時の接続情報が必要であるため、設置工事などの他の情報がないとネットワークトポロジを作成できないという問題がある。
また、ノードの持っている情報以外の情報が必要なため、ＮＭＳ（Network Management System）で自動的にネットワークトポロジを生成できないという問題がある。
【０００４】
一方、前記特許文献１には、ネットワークトポロジを検出するようにした発明が開示されているが、これはＳＤＨ（Synchronous Digital Hierarchy）／ＷＤＭ（Wavelength Division Multiplexing）システムで使用するものであって、ＳＤＨ／ＷＤＭはポイントトウポイント（Ｐｏｉｎｔ−ｔｏ−Ｐｏｉｎｔ）のシステムを提供するための技術であり、Ｊ０／Ｊ１といったセクション（Ｓｅｃｔｉｏｎ）／パス（Ｐａｔｈ）の接続性を確認する機能を標準として備えており、これを使用してネットワークトポロジを生成するためには隣接ノード間の多くの情報が必要になるという問題がある。
【０００５】
また、前記特許文献２にもネットワークトポロジを検出するようにした発明が開示されているが、その図２５では図２３、図２４の専用フレームを用いてポート（Ｐｏｒｔ）−ＭＡＣ（Media Access Control）アドレスの情報を入手しており、また複数のノードが接続されている場合はそれらの情報も含めて使用するようになっており、ネットワークトポロジを生成するためには隣接ノード間の多くの情報が必要になるという問題がある。
【０００６】
【特許文献１】特表２００５−５０７５７５号公報
【特許文献２】特開２００６−１９８６６号公報
【特許文献３】ＷＯ９９／４１８８９号公報
【特許文献４】特開２００５−２９５２０９号公報
【特許文献５】特開２００５−３２８３１８号公報
【発明の開示】
【発明が解決しようとする課題】
【０００７】
本発明は、前記問題点に鑑み成されたもので、ネットワークに接続されたノードの情報のみを使用して、ネットワークトポロジ情報を生成できるようにすること。
【課題を解決するための手段】
【０００８】
本発明によれば、複数のノードをイーサネットによって接続して成るネットワークのトポロジを生成するネットワークトポロジ生成方法において、ネットワーク管理システムは、前記各ノードから、前記各ノードが行ったＣｏｎｔｉｎｕｉｔｙ  Ｃｈｅｃｋによる受信結果情報、ＶＬＡＮ設定情報及びポートのＭＡＣ情報を収集し、前記ネットワークのトポロジを生成することを特徴とするネットワークトポロジ生成方法が提供される。
ネットワーク管理システムは、各ノードから、前記各ノードが行ったＣｏｎｔｉｎｕｉｔｙ  Ｃｈｅｃｋによる受信結果情報、ＶＬＡＮ設定情報及びポートのＭＡＣ情報を収集し、前記ネットワークのトポロジを生成する。
【０００９】
ここで、前記ネットワーク管理システムは、前記Ｃｏｎｔｉｎｕｉｔｙ  Ｃｈｅｃｋによる受信結果情報及びポートのＭＡＣ情報を用いて前記各ノード間の接続情報を生成し、前記ＶＬＡＮ設定情報に基づいて前記各ノード内のポート接続状態を判別し、前記ノード間接続情報及びノード内接続情報に基づいて、前記ネットワークのトポロジを生成するように構成してもよい。
【００１０】
また、前記ネットワークは、イーサネットＯＡＭ機能を用いたレイヤ２のイーサネットネットワークであるように構成してもよい。
また、前記ネットワークは複数のＶＬＡＮを含んで成り、前記管理システムは、前記ＶＬＡＮ単位でネットワークトポロジを生成するように構成してもよい。
【００１１】
また、本発明によれば、複数のノードをイーサネットによって接続して成るネットワークのトポロジを生成する場合、前記各ノードからＣｏｎｔｉｎｕｉｔｙ  Ｃｈｅｃｋによる受信結果情報、ＶＬＡＮ設定情報及びポートのＭＡＣ情報を受信する情報受信手段と、前記情報受信手段によって受信した受信結果情報、ＶＬＡＮ設定情報及びポートのＭＡＣ情報を記憶する記憶手段と、前記記憶手段に記憶した受信結果情報、ＶＬＡＮ設定情報及びポートのＭＡＣ情報に基づいて前記ネットワークのトポロジを生成するトポロジ生成手段とを備えて成ることを特徴とするネットワーク管理システムが提供される。
【００１２】
情報受信手段は、前記各ノードからＣｏｎｔｉｎｕｉｔｙ  Ｃｈｅｃｋによる受信結果情報、ＶＬＡＮ設定情報及びポートのＭＡＣ情報を受信する。記憶手段は、前記情報受信手段によって受信した受信結果情報、ＶＬＡＮ設定情報及びポートのＭＡＣ情報を記憶する。トポロジ生成手段は、前記記憶手段に記憶した受信結果情報、ＶＬＡＮ設定情報及びポートのＭＡＣ情報に基づいて前記ネットワークのトポロジを生成する。
【００１３】
ここで、前記トポロジ生成手段は、前記受信結果情報及びポートのＭＡＣ情報を用いて前記各ノード間の接続情報を生成し、前記ＶＬＡＮ設定情報に基づいて前記各ノード内のポート接続状態を判別し、前記ノード間接続情報及びノード内接続情報に基づいて、前記ネットワークのトポロジを生成するように構成してもよい。
【００１４】
また、前記ネットワークは、イーサネットＯＡＭ機能を用いたレイヤ２のイーサネットネットワークであるように構成してもよい。
また、前記ネットワークは複数のＶＬＡＮを含んで成り、前記トポロジ生成手段は、前記ＶＬＡＮ単位でネットワークトポロジを生成するように構成してもよい。
【００１５】
また、本発明によれば、コンピュータに、複数のノードをイーサネットによって接続して成るネットワークのトポロジを生成する場合、前記各ノードからＣｏｎｔｉｎｕｉｔｙ  Ｃｈｅｃｋによる受信結果情報、ＶＬＡＮ設定情報及びポートのＭＡＣ情報を受信するステップと、前記受信した受信結果情報、ＶＬＡＮ設定情報及びポートのＭＡＣ情報を記憶手段に記憶するステップと、前記記憶手段に記憶した受信結果情報、ＶＬＡＮ設定情報及びポートのＭＡＣ情報に基づいて前記ネットワークのトポロジを生成するステップとを実行させることを特徴とするプログラムが提供される。
【００１６】
コンピュータはプログラムを実行することにより、複数のノードをイーサネットによって接続して成るネットワークのトポロジを生成する場合、前記各ノードからＣｏｎｔｉｎｕｉｔｙ  Ｃｈｅｃｋによる受信結果情報、ＶＬＡＮ設定情報及びポートのＭＡＣ情報を受信するステップと、前記受信した受信結果情報、ＶＬＡＮ設定情報及びポートのＭＡＣ情報を記憶手段に記憶するステップと、前記記憶手段に記憶した受信結果情報、ＶＬＡＮ設定情報及びポートのＭＡＣ情報に基づいて前記ネットワークのトポロジを生成するステップとを実行する。
【００１７】
ここで、コンピュータに、前記受信結果情報及びポートのＭＡＣ情報を用いて前記各ノード間の接続情報を生成するステップと、前記ＶＬＡＮ設定情報に基づいて前記各ノード内のポート接続状態を判別するステップと、前記ノード間接続情報及びノード内接続情報に基づいて、前記ネットワークのトポロジを生成するステップを実行させるように前記プログラムを構成してもよい。
【００１８】
また、前記ネットワークは、イーサネットＯＡＭ機能を用いたレイヤ２のイーサネットネットワークであるように構成してもよい。
また、前記ネットワークは複数のＶＬＡＮを含んで成り、コンピュータに、前記ＶＬＡＮ単位でネットワークトポロジを生成するステップを実行させるように前記プログラムを構成してもよい。
【発明の効果】
【００１９】
本発明によれば、ネットワークに接続されたノードの情報のみを使用して、ネットワークトポロジ情報を生成することが可能になる。
【発明を実施するための最良の形態】
【００２０】
以下、本発明の実施の形態に係るネットワークトポロジ生成方法、ネットワーク管理システム及びネットワークトポロジ精製用プログラムについて説明する。
図１は、本発明の実施の形態に係るネットワークトポロジ生成方法に使用するネットワークシステムの構成図である。
【００２１】
ネットワークは、レイヤ２（Ｌ２）のイーサネットであり、複数台（本実施の形態では７台）のＬ２ＳＷノード（ノードＬ２ＳＷ−１〜Ｌ２ＳＷ−７）とそれらを監視するＮＭＳ（Network Management System：ネットワーク管理システム）１０１で構成されている。
ＮＭＳ１０１は、記憶手段及び前記記憶手段に記憶されたプログラム及び中央処理装置（ＣＰＵ）を有し、前記ＣＰＵが前記プログラムを実行することによって後述するネットワークトポロジの生成を行うコンピュータによって構成することができる。
【００２２】
また、ＮＭＳ１０１は、ネットワークトポロジを生成するために必要な各ノードからの情報を受信する情報受信手段を備えており、前記記憶手段には前記情報受信手段によって受信した情報が記憶され、前記情報は前記ＣＰＵがネットワークトポロジを生成する際に利用される。ここで、前記ＣＰＵはトポロジ生成手段を構成している。
各Ｌ２ＳＷノードは、レイヤ２のスイッチ（ＳＷ）であり、複数のイーサネットポートを持ち、それぞれ隣接するＬ２ＳＷノードとイーサネットで接続されているものとする。
【００２３】
このＬ２ネットワークではＶＬＡＮ（バーチャルＬＡＮ（Local Area Network）ＡとＶＬＡＮ  Ｂの２つのＶＬＡＮが構成されているものとする。
また、各Ｌ２ＳＷノード間を結ぶイーサネット区間はすべてＣｏｎｔｉｎｕｉｔｙ  Ｃｈｅｃｋを実施しており、その詳細は後述する。
ＮＭＳ１０１は、各Ｌ２ＳＷノードに対してアクセスが可能であり、Ｌ２ＳＷノードの持つ情報を入手できるものとする。
【００２４】
先ず概要を説明すると、本実施の形態に係るネットワークトポロジ生成方法は、イーサネットＯＡＭ（Operation Administration and Maintenance）機能を用いたレイヤ２のイーサネットネットワークにおいて、ネットワークトポロジを各装置（ノード）からの情報収集のみで作成できることを特徴としている。
Ｌ２ＳＷノード間を接続するイーサネットの情報を入手するためのＣｏｎｔｉｎｕｉｔｙ  Ｃｈｅｃｋについての動作について図２に示す。Ｃｏｎｔｉｎｕｉｔｙ  Ｃｈｅｃｋの結果として、ノードＬ２ＳＷ−３では図２にある「ＥＴＨ−ＣＣによる受信結果」が得られることとなる。
【００２５】
このようにして、本実施の形態では、各Ｌ２ＳＷノードでＣｏｎｔｉｎｕｉｔｙ  Ｃｈｅｃｋを実施し、イーサネットの接続情報を得ると共にＮＭＳ１０１で全Ｌ２ＳＷノードの情報を収集しているので、各Ｌ２ＳＷノードからの情報のみでＮＭＳ１０１が自動的にネットワークトポロジの生成ができる。
【００２６】
次に、以上のように構成されたネットワークを用いて、本発明の実施の形態に係るネットワークトポロジ生成方法について詳細に説明する。
はじめにＬ２ＳＷノード間を接続するイーサネットの情報を入手するためのＣｏｎｔｉｎｕｉｔｙ  Ｃｈｅｃｋについて説明する。例としてノードＬ２ＳＷ−１〜Ｌ２ＳＷ−３間の動作について、図２を用いて説明する。
【００２７】
ノードＬ２ＳＷ−１とノードＬ２ＳＷ−３はノードＬ２ＳＷ−１のポート（Ｐｏｒｔ）−１−４とノードＬ２ＳＷ−３のＰｏｒｔ−３−１が接続されている。この両端から対向側に対してＶＬＡＮ単位にＥＴＨ−ＣＣ（イーサネット−Ｃｏｎｔｉｎｕｉｔｙ  Ｃｈｅｃｋ）を行う。
ＥＴＨ−ＣＣ機能は、装置間で試験フレームを送受信することによって故障を検出するための機能であり、ＩＴＵ−ＴのＹ．１７３１（Ｅｔｈｅｒｎｅｔ（登録商標）  ＯＡＭ）で規定されているため、ここではＥＴＨ−ＣＣについての動作説明は省略する。
【００２８】
このＣｏｎｔｉｎｕｉｔｙ  Ｃｈｅｃｋの結果として、ノードＬ２ＳＷ−３では図２にある「ＥＴＨ−ＣＣによる受信結果」が得られることとなる。
また、ノードＬ２ＳＷ−３のＶＬＡＮ設定は「Ｌ２ＳＷ−３  ＶＬＡＮ設定」のように設定されていることは設定情報としてノードＬ２ＳＷ−３から入手が可能である。
【００２９】
次にＶＬＡＮ  Ｂについて実際にイーサネットトポロジを生成する動作について説明する。
はじめにＮＭＳ１０１は管理しているネットワークの各Ｌ２ＳＷノードから、（１）ＥＴＨ−ＣＣによる受信結果、（２）ＶＬＡＮ設定、（３）ポート（Ｐｏｒｔ）のＭＡＣ（Media Access Control）情報を収集し、ＶＬＡＮ  Ｂに関する情報を検索する。このとき、ＮＭＳ１０１は、各Ｌ２ＳＷノードから前記各情報を受信手段によって受信し、ＮＭＳ１０１内部の前記記憶手段に記憶する。
【００３０】
尚、各Ｌ２ＳＷノードが保有するＣｏｎｔｉｎｕｉｔｙ  Ｃｈｅｃｋ情報、ＶＬＡＮ情報、ＰｏｒｔのＭＡＣ情報等をＮＭＳ１０１が収集する通信方法は、公知の方法（例えば、ＳＮＭＰ（Simple Network Management Protocol）、ＴＬ１（Transaction Language One）等）で行う。
【００３１】
その結果をまとめたものが図３となり、ＶＬＡＮ  Ｂに関するＬ２ＳＷノードと各Ｌ２ＳＷノードから得られるＶＬＡＮ  Ｂに関する情報となる。
この状態ではまだ各Ｌ２ＳＷノードの情報のみでそれぞれが接続されておらずトポロジ情報とはなっていない。
ＮＭＳ１０１は、収集した情報のうち（１）ＥＴＨ−ＣＣのよる受信結果、（３）ＰｏｒｔのＭＡＣ情報を使用して、Ｌ２ＳＷノード間の接続を生成する。
【００３２】
本動作を図４に示す。例えばノードＬ２ＳＷ−１のＥＴＨ−ＣＣの結果を見るとＰｏｒｔ−１−４はＭＡＣ−３−１を持つＰｏｒｔ（Ｐｏｒｔ−３−１）と接続されていることとなる。そこでＭＡＣ−３−１を持つＰｏｒｔ−３−１に関して（３）ＰｏｒｔのＭＡＣ情報を検索すると、ノードＬ２ＳＷ−３にあることが判る（ａ）。
【００３３】
ノードＬ２ＳＷ３のＰｏｒｔのＭＡＣ情報からＭＡＣ−３−１はＰｏｒｔ−３−１であることが判る（ｂ）。ａ、ｂの情報からノードＬ２ＳＷ−１のＰｏｒｔ−１−４とノードＬ２ＳＷ−３のＰｏｒｔ−３−１が接続されていることが判る（ｃ）。
同様に（ｄ）、（ｅ）から（ｆ）の情報が得られる。
【００３４】
一方、各Ｌ２ＳＷノードのＶＬＡＮ設定状態から、図５のように各Ｌ２ＳＷノード内のＰｏｒｔ接続状態が判る。
これらＬ２ＳＷノード間の接続情報（図４）、Ｌ２ＳＷノード内の接続情報（図５）を総合すると、図６に示すようにＶＬＡＮ  Ｂのネットワークトポロジを生成することができる。
ＶＬＡＮ  Ａについて同様のことを実施することにより、図７に示すように、ＶＬＡＮ  Ａのネットワークトポロジを生成することができる。
【００３５】
従来のＬ２イーサネットネットワークでは、ネットワークトポロジを各装置の情報から知る手段がなく、設置工事時の情報、設定情報、Ｌ３のＰｉｎｇ機能等を使用しトポロジ情報を手動で作成していた。このため、Ｌ２のみの機能ではＬ２のイーサネットワークトポロジを生成する手段がなかった。
【００３６】
これに対して本実施の形態では、（１）隣接ノード間にＣｏｎｔｉｎｕｉｔｙ  ＣｈｅｃｋをＶＬＡＮ単位に実施することにより隣接ノード間のＶＬＡＮ単位での接続情報を入手すると共に、（２）各Ｌ２ＳＷ内のＶＬＡＮ設定情報を入手することにより、（１）、（２）の２つの情報のみでＶＬＡＮ単位でのＬ２イーサネットワークトポロジを生成することができる。
【００３７】
また、各Ｌ２ＳＷノードの情報から提示したプログラムによって接続情報がわかるので、各Ｌ２ＳＷノードからの情報のみからネットワークトポロジを生成することが可能になる。
また、各Ｌ２ＳＷノードからの情報のみからネットワークトポロジを生成できるので、接続情報などの工事情報を使用することなく自動的にネットワークトポロジを生成することが可能になる。
また、必要最小限の情報量でネットワークトポロジを生成できるという効果を奏する。
【００３８】
尚、Ｌ２ＳＷネットワークはマルチポイントトウマルチポイント（ＭｕｌｔｉＰｏｉｎｔ−ｔｏ−Ｍｕｌｔｉｐｏｉｎｔ）のシステムを提供するための技術であり、ＳＤＨ（Synchronous Digital Hierarchy）／ＷＤＭ（Wavelength Division Multiplexing）のＪ０／Ｊ１に相当する技術がないため、前述した従来のネットワークトポロジ生成方法とは、使用される環境や条件が異なっている。
【００３９】
本発明の他の実施の形態として、その基本的構成は上記の通りＶＬＡＮ単位で実施しているが、物理ネットワークトポロジを生成する場合にも拡張することができる。例えば、前記実施の形態では、ＶＬＡＮ単位にＣｏｎｔｉｎｕｉｔｙ  Ｃｈｅｃｋを実施しているが、ＶＬＡＮ単位ではなく全Ｐｏｒｔに対しての情報を使用することによって実質的に物理ネットワークトポロジを生成することが可能である。
【産業上の利用可能性】
【００４０】
ノードとして各種機器をイーサネット接続して成るネットワークのトポロジを生成する方法に利用可能である。
【図面の簡単な説明】
【００４１】
【図１】本発明の実施の形態に係るネットワークトポロジ生成方法に使用するネットワークシステムの構成図である。
【図２】本発明の実施の形態で移用するＣｏｎｔｉｎｕｉｔｙ  Ｃｈｅｃｋの動作説明図である。
【図３】本発明の実施の形態におけるネットワークトポロジ生成処理の説明図である。
【図４】本発明の実施の形態におけるネットワークトポロジ生成処理の説明図である。
【図５】本発明の実施の形態におけるネットワークトポロジ生成処理の説明図である。
【図６】本発明の実施の形態におけるネットワークトポロジ生成処理の説明図である。
【図７】本発明の実施の形態におけるネットワークトポロジ生成処理の説明図である。
【符号の説明】
【００４２】
１０１・・・ＮＭＳ
Ｌ２ＳＷ−１〜Ｌ２ＳＷ−７・・・ノード
【図１】
2008244689.tif 000003
【図２】
2008244689.tif 000004
【図３】
2008244689.tif 000005
【図４】
2008244689.tif 000006
【図５】
2008244689.tif 000007
【図６】
2008244689.tif 000008
【図７】
2008244689.tif 000009